(57)【要約】      （修正有）【課題】街区を訪れた人に対して不快感や不安感を与えることなく、街区の住民に対して注意喚起を行うことが可能な街区の防犯システムを提供する。【解決手段】住宅１ａ〜１５ａが建築された複数の住宅地１〜２１を備える街区の防犯システムにおいて、複数の住宅地１〜２１のそれぞれには、住宅地外から住宅１ａ〜１５ａの玄関まで配置されたアプローチ１ｂ〜２１ｂと、当該アプローチ１ｂ〜２１ｂ付近を感知エリアＡとする人感センサーと、が設けられており、街区内には、人感センサーによる感知が所定時間継続した場合に生成される侵入情報に基づいて警戒音を吹鳴するスピーカーが設置されている。そして、警戒音は、自然環境において発せられる音によって構成された自然音、またはメロディ音である。【選択図】図１
2015176406.tif 000002
【特許請求の範囲】
【請求項１】
住宅が建築された複数の住宅地を備える街区の防犯システムにおいて、
前記複数の住宅地のそれぞれには、住宅地外から前記住宅の玄関まで配置されたアプローチと、当該アプローチ付近を感知エリアとする人感センサーと、が設けられており、
前記街区内には、前記人感センサーによる感知が所定時間継続した場合に生成される侵入情報に基づいて警戒音を吹鳴するスピーカーが設置されており、
前記警戒音は、自然環境において発せられる音によって構成された自然音、またはメロディ音であることを特徴とする街区の防犯システム。
【請求項２】
請求項１に記載の街区の防犯システムにおいて、
前記複数の住宅地のそれぞれには、前記侵入情報の生成を停止するための情報取消手段が設けられていることを特徴とする街区の防犯システム。
【請求項３】
請求項１または２に記載の街区の防犯システムにおいて、
前記街区内には共有スペースが設けられ、当該共有スペースに前記スピーカーが設置されていることを特徴とする街区の防犯システム。
【請求項４】
請求項１〜３のいずれか一項に記載の街区の防犯システムにおいて、
前記複数の住宅地のそれぞれには、前記人感センサーに接続された照明装置が設けられており、
前記照明装置は、前記人感センサーによって人を感知した際に点灯、または人の接近に伴って明るさを上げるように調節し、さらに前記人感センサーによる感知が所定時間継続した場合に生成される侵入情報に基づいて点滅する動作を行う設定となっていることを特徴とする街区の防犯システム。
【請求項５】
請求項４に記載の街区の防犯システムにおいて、
前記街区内には街路が設けられ、前記照明装置は、当該街路に沿って配置されており、
前記街路に沿って配置された全ての前記照明装置は連動して点灯する設定となっていることを特徴とする街区の防犯システム。
【発明の詳細な説明】
【技術分野】
【０００１】
本発明は、複数の住宅地を備える街区の防犯システムに関する。
【背景技術】
【０００２】
近年、戸建て住宅等に居住する居住者の防犯意識が高まっており、住宅内および敷地内の防犯に関する種々の技術が開発されているが、防犯は、居住者個人の住宅だけで十分な対策が行えるものではなく、近隣の住宅との関係や周辺環境等に大きく影響される。このような点を考慮した技術として、例えば特許文献１に記載のものが知られている。
特許文献１に記載の技術は、防災用の無線システムに対して防犯機能を持たせたものであり、住宅への人間の侵入情報を受信した際に、屋外拡声装置によってサイレン音や警戒音声等の警戒音を吹鳴することができる。
【先行技術文献】
【特許文献】
【０００３】
【特許文献１】特開２００８−２８７５３２号公報
【発明の概要】
【発明が解決しようとする課題】
【０００４】
ところで、従来の各種警戒音は、注意喚起や緊張感の向上を目的とした特徴的な音によって構成されており、人によっては警戒音を聞くことによって強烈な不安感が生じる場合がある。また、特許文献１に記載の技術を始めとする各種の防犯システムでは、例えば各種センサーの誤作動や、居住者によるシステムの操作ミス等によって侵入情報が発せられる場合があるが、そのたびに従来のような警戒音が街区全体に吹鳴されると、街区を訪れた人に対し、不快感や不安感を与えてしまう場合がある。
【０００５】
本発明の課題は、街区を訪れた人に対して不快感や不安感を与えることなく、街区の住民に対して注意喚起を行うことが可能な街区の防犯システムを提供することを目的とする。
【課題を解決するための手段】
【０００６】
請求項１に記載の発明は、例えば図１〜図４に示すように、住宅１ａ〜１５ａが建築された複数の住宅地１〜２１を備える街区の防犯システムにおいて、
前記複数の住宅地１〜２１のそれぞれには、住宅地外から前記住宅１ａ〜１５ａの玄関まで配置されたアプローチ１ｂ〜２１ｂと、当該アプローチ１ｂ〜２１ｂ付近を感知エリアＡとする人感センサー３１と、が設けられており、
前記街区内には、前記人感センサー３１による感知が所定時間継続した場合に生成される侵入情報に基づいて警戒音を吹鳴するスピーカー４１が設置されており、
前記警戒音は、自然環境において発せられる音によって構成された自然音、またはメロディ音であることを特徴とする。
【０００７】
請求項１に記載の発明によれば、人感センサー３１はアプローチ１ｂ〜２１ｂ付近を感知エリアＡとするので、アプローチ１ｂ〜２１ｂ付近から住宅１ａ〜１５ａへの人の侵入を警戒することができる。また、スピーカー４１は、街区内に警戒音を吹鳴するので、街区内で人の侵入を警戒したり、近隣の住民が迅速に警察に通報したりすることができる。
そして、スピーカー４１によって街区内に吹鳴される警戒音は、自然環境において発せられる音によって構成された自然音、またはメロディ音であることから、街区を訪れた人にとっては、それが警戒音であることを認識せずに済む。そのため、街区を訪れた人に対して不快感や不安感を与えることを防ぐことができる。また、街区の住民に対しては、過度に不安を煽ることなく、住宅侵入の注意喚起を行うことが可能となる。
さらに、スピーカー４１は、人感センサー３１による感知が所定時間継続した場合に生成される侵入情報に基づいて警戒音を吹鳴するので、アプローチ１ｂ〜２１ｂ付近で人が所定時間留まる場合に警戒音が吹鳴されることになる。これによって、単に住宅１ａ〜１５ａの居住者が出入りするだけでは警戒音が吹鳴されることがなくなり、住宅１ａ〜１５ａの居住者が出入りする度に警戒音が吹鳴されることを防げるので、何度も吹鳴される警戒音によって街区を訪れた人が不快に感じたり、不安を感じたりするような事態を回避できる。すなわち、街区を訪れた人に対して不快感や不安感を与えることなく、街区の住民に対して住宅侵入の注意喚起を行うことが可能となる。
【０００８】
請求項２に記載の発明は、例えば図２に示すように、請求項１に記載の街区の防犯システムにおいて、
前記複数の住宅地１〜２１のそれぞれには、前記侵入情報の生成を停止するための情報取消手段が設けられていることを特徴とする。
【０００９】
請求項２に記載の発明によれば、複数の住宅地１〜２１のそれぞれには、侵入情報の生成を停止するための情報取消手段が設けられているので、住宅１ａ〜１５ａの居住者は侵入情報の生成を適宜停止して、アプローチ１ｂ〜２１ｂ付近に留まることができる。これによって、アプローチ１ｂ〜２１ｂ付近で作業をしたり、立ち話等で留まったりする場合に侵入情報が生成されることを防ぐことができるので、居住者の日常生活に支障が出ることを防ぐことができる。
【００１０】
請求項３に記載の発明は、例えば図１に示すように、請求項１または２に記載の街区の防犯システムにおいて、
前記街区内には共有スペース２２（例えば公園２２）が設けられ、当該共有スペース２２に前記スピーカー４１が設置されていることを特徴とする。
【００１１】
請求項３に記載の発明によれば、街区内の共有スペース２２にスピーカー４１が設置されているので、人の集まりやすい場所にスピーカー４１が設置されることになる。これによって、スピーカー４１によって警戒音が吹鳴されていることを、より多くの人に知らせることができる。
【００１２】
請求項４に記載の発明は、例えば図３，図４に示すように、請求項１〜３のいずれか一項に記載の街区の防犯システムにおいて、
前記複数の住宅地１〜２１のそれぞれには、前記人感センサー３１に接続された照明装置３２が設けられており、
前記照明装置３２は、前記人感センサー３１によって人を感知した際に点灯、または人の接近に伴って明るさを上げるように調節し、さらに前記人感センサー３１による感知が所定時間継続した場合に生成される侵入情報に基づいて点滅する動作を行う設定となっていることを特徴とする。
【００１３】
請求項４に記載の発明によれば、複数の住宅地１〜２１のそれぞれに設けられた照明装置３２は、人感センサー３１によって人を感知した際に点灯、または人の接近に伴って明るさを上げるように調節し、さらに人感センサー３１による感知が所定時間継続した場合に生成される侵入情報に基づいて点滅する動作を行う設定となっているので、照明装置３２は、人感センサー３１による感知に伴ってアクションを起こすことになる。これによって、照明装置３２に接近する人に対して威嚇行動を取ることができるとともに、警戒音を鳴らさずに、住宅１ａ〜１５ａの居住者や近隣の住民に対して注意喚起を促すことができる。
【００１４】
請求項５に記載の発明は、例えば図４に示すように、請求項４に記載の街区の防犯システムにおいて、
前記街区内には街路２７が設けられ、前記照明装置３２は、当該街路２７に沿って配置されており、
前記街路２７に沿って配置された全ての前記照明装置３２は連動して点灯する設定となっていることを特徴とする。
【００１５】
請求項５に記載の発明によれば、街路２７に沿って配置された全ての照明装置３２は連動して点灯する設定となっているので、街路２７を明るく照らすことができ、街路２７から住宅地１６〜２１への侵入を始めとする種々の防犯に寄与できる。
【発明の効果】
【００１６】
本発明によれば、スピーカーによって街区全体に吹鳴される警戒音は、自然環境において発せられる音によって構成された自然音、またはメロディ音であることから、街区を訪れた人に対して不快感や不安感を与えることなく、街区の住民に対して住宅侵入の注意喚起を行うことが可能となる。
【図面の簡単な説明】
【００１７】
【図１】街区の一部を示す俯瞰図である。
【図２】防犯システムの構成を示すブロック図である。
【図３】住宅地のアプローチ付近を示す俯瞰図である。
【図４】街路に沿って門柱が設置された状態を示す俯瞰図である。
【発明を実施するための形態】
【００１８】
以下、図面を参照して本発明の実施の形態について説明する。
本実施の形態における防犯システムは、図１〜図４に示すように、複数の住宅地１〜２１と、公園２２とを備える街区に導入されるものである。
街区は、複数の外部道路（図示せず）によって囲まれた位置にある造成地が、複数の街路２３〜２７によって区画された土地である。そして、当該街区内に、街路２３〜２７に面して各住宅地１〜２１と、共有スペースである公園２２とが配置されている。
各住宅地１〜２１は、例えば生垣や塀、フェンス等によって隣接する住宅地と区画されており、各住宅地１〜２１のそれぞれには住宅１ａ〜１５ａが建築されている。なお、住宅地１６〜２１にも、図４では示されていない住宅が建築されている。
【００１９】
各住宅地１〜２１には、住宅地外（例えば街路２３〜２７）から住宅１ａ〜１５ａの玄関まで配置された、通路であるアプローチ１ｂ〜２１ｂが設けられている。また、アプローチ１ｂ〜２１ｂの玄関側はポーチ１ｃ〜１５ｃとされている。なお、住宅地１６〜２１におけるアプローチ１６ｂ〜２１ｂについても、図４では示されていないポーチが設けられている。
街路２３〜２７としては、一直線状に形成された街路だけに限らず、奥まった住宅地まで延びる共用部を有する街路も含む。
【００２０】
また、各住宅地１〜２１のアプローチ１ｂ〜２１ｂ付近には、門柱３０と、アプローチ１ｂ〜２１ｂ付近を感知エリアＡとする人感センサー３１と、が設けられている。
門柱３０は、各住宅地１〜２１の地面に、住宅地１〜２１と住宅地外との境界に位置するようにして起立設置されている。また、門柱３０には照明装置３２や、図示しない表札、図示しないインターフォン、図示しないポスト等が付属している。
【００２１】
人感センサー３１は、例えばマイクロ波センサーが採用されており、感知エリアＡ内における人の大きな動きから微細な動きまでを感知して作動する設定となっている。
また、当該人感センサー３１は、一つの住宅地１（２〜２１）に対して少なくとも一つは設けられるものとし、当該少なくとも一つの人感センサー３１がアプローチ１ｂ〜２１ｂ付近を感知エリアＡとしている。より具体的に説明すると、当該少なくとも一つの人感センサー３１は、門柱３０に対して設けられているものとする。
ただし、住宅地１〜２１内のその他の場所にも人感センサー３１を設けてよいものとする。また、人感センサー３１の設置数も任意であり、図３に示すように、アプローチ１５ｂ付近に複数個設けてもよい。
なお、例えば屋外（例えば庭）で犬を飼育する場合には、犬のいる場所自体の防犯性は高いため、人感センサー３１を設ける必要はない。これによって、屋外で飼育されている犬が人感センサー３１に感知されることを防ぎ、人感センサー３１の誤動作を抑制できる。
また、本実施の形態の人感センサー３１はマイクロ波センサーを採用したが、これに限られるものではなく、例えば赤外線センサー等のその他のセンサーを採用してもよい。
【００２２】
照明装置３２は、本実施の形態においては門柱３０に付属するものとしたが、住宅地１〜２１内のその他の場所に設けてもよいし、その設置数も任意である。図４に示す例では、門柱３０が街路２７に沿って配置されており、当該門柱３０に付属する照明装置３２も、街路２７に沿って配置されている。門柱３０が街路２３〜２７から離れた位置に設けられる場合には、住宅地１〜２１内のうち、街路２３〜２７に面する場所に他の照明装置３２を設けてもよい。
【００２３】
また、照明装置３２は、人感センサー３１にデータ通信可能に接続されており、当該人感センサー３１の動作に伴って点灯・調光・点滅の動作を行う設定となっている。
より詳細に説明すると、照明装置３２は、人感センサー３１によって人を感知した際に点灯、または人の接近に伴って明るさを上げるように調節し、さらに人感センサー３１による感知が所定時間継続した場合に生成される侵入情報（後述する）に基づいて点滅する動作を行う設定となっている。
すなわち、照明装置３２は、人が住宅地１〜２１に接近または侵入したことを、柔らかな光（明かり）によって人の視覚に訴求する機能を発揮することができる。これによって、例えば回転灯のように、照明装置３２の明かりを見た者に対して過度に不安を煽ることなく、注意喚起を行うことができる。
【００２４】
また、図４に示すように門柱３０が街路２７に沿って配置される場合においては、街路２７に沿って配置された全ての照明装置３２は連動して点灯する設定となっている。または連動して明るさを上げる設定となっていてもよい。すなわち、街路２７に沿って配置された照明装置３２は互いに連動可能に接続されている。
さらに、街路に沿って配置された照明装置３２は、人感センサー３１と連動し、人の接近に伴って明るさを上げるように設定されている。
換言すれば、全ての照明装置３２が連動して点灯する設定となっているため、街路２７に沿って配置された全ての照明装置３２が一斉に点灯するようにもできるし、街路２７に沿って配置された全ての照明装置３２が、人の接近に伴って徐々に点灯するようにもできる。
【００２５】
門柱３０には、その他にも例えば、後述する時計台４０の温湿度計と連動するミスト発生装置や着脱式の日射遮蔽パラソル、後述する時計台４０と連動する時報装置等が付属していてもよいものとする。
【００２６】
街区内に設けられた公園２２には、人感センサー３１による感知が所定時間継続した場合に生成される侵入情報（後述する）に基づいて、街区全体に警戒音を吹鳴するスピーカー４１が設置されている。
より詳細に説明すると、スピーカー４１は、公園２２に設置された時計台４０に設けられている。そして、当該スピーカー４１は、図２に示すように、人感センサー３１にデータ通信可能に接続されており、人感センサー３１の動作に伴って上述のような警戒音を吹鳴する動作を行う。なお、このような動作は、時計台４０に設けられた制御部４２によって制御されている。
また、本実施の形態においてスピーカー４１は公園２２に設けられるものとしたが、これに限られるものではなく、街区におけるその他の場所に設けられてもよい。すなわち、各戸にスピーカー４１を設けてもよいし、その他の共有スペースに設けてもよい。その他の共有スペースとしては、公園２２の他に、例えば集会所やゴミ置き場等が挙げられる。各戸にスピーカー４１を設ける場合は、スピーカー４１単体を敷地内のいずれかに配置したり、例えば門柱３０や照明装置３２等に組み込んだりする。
【００２７】
スピーカー４１によって吹鳴される警戒音は、自然環境において発せられる音によって構成された自然音、またはメロディ音である。
自然音とは、例えば小川のせせらぎの音や風の音、波の音、雨音、雷鳴、虫の鳴き声、鳥の鳴き声、動物の鳴き声等のように、野山・河川・海洋・天空における自然現象に伴って生ずる人為的でない音や、虫や動植物等の生態活動等に伴って生ずる音を指すものとする。また、複数種類の自然音を選択的に流したり、複数種類の自然音を織り交ぜて流したりしてもよい。
メロディ音とは、例えば童謡や唱歌等を始めとする各種音楽のように旋律やリズムのある音や、例えばドアチャイムや時報などに用いられる各種のチャイムの音等を指している。また、複数種類のメロディ音を選択的に流してもよい。
そして、どのような警戒音がスピーカー４１から鳴らされるかは街区の住民だけが認識しているものとする。すなわち、自然音またはメロディ音である警戒音は、街区の住民だけがわかる、いわゆる符丁（合図、シグナルとも言う）としての機能を発揮する。
【００２８】
時計台４０は、図２に示すように、スピーカー４１と制御部４２の他に、時計部４３と、ディスプレイ４４と、記憶部４５と、通信部４６と、を備える。また、図示しない温湿度計を備える。
時計部４３は、時計台４０のうち最も目立つ位置（例えば時計台４０の上端部）に設けられている。また、この時計部４３は、防犯システム全体における時間の計測も司っており、例えば人感センサー３１の動作時間の計測等にも利用可能である。
ディスプレイ４４は、例えば周囲の気温や湿度、天気等の諸情報を表示するためのものである。また、警戒音の発生時に、どこの住宅地１〜２１の人感センサー３１が反応しているかを表示してもよい。
なお、時計台４０には、その他にも例えば、温湿度計と連動するミスト発生装置や、時計部４３と連動する時報機能等が備わっていてもよいものとする。
また、本実施の形態の時計台４０には、制御部４２を始めとする防犯システムを機能させるために必要な各種構成要素が搭載されているが、スピーカー４１の設置場所を公園２２以外とする場合には、スピーカー４１の付近に一緒に設置することが好ましい。ただし、これに限られるものではなく、スピーカー４１とデータ通信可能に接続して、当該スピーカー４１と離れた場所に設置してもよい。
【００２９】
記憶部４５は、防犯システムを実行するために必要な各種データや各種プログラムが記憶されている。また、各人感センサー３１の動作履歴も記憶されている。
通信部４６は、ディスプレイ４４に表示する天気等の情報のデータを受信したり、外部に情報を送信したりするためのものであり、インターネット等に接続されている。
【００３０】
続いて、以上のような構成の防犯システムの動作等について説明する。
人感センサー３１は、感知エリアＡ内におけるセンシングを常に行っており、感知エリアＡ内における人の動きを感知して作動する。人感センサー３１が作動すると、その作動開始の情報は制御部４２によって認識される。
そして、一旦作動してから感知の状態が所定時間継続すると、制御部４２によって侵入情報として認識される。なお、所定時間とは、例えば、いわゆるピッキングによって侵入する際の平均時間や、いわゆるサムターン回し等のその他の方法によって住宅内に浸入するまでの平均時間を参考に設定された時間を指している。
【００３１】
人感センサー３１による感知の状態が所定時間継続した後、制御部４２は、スピーカー４１から警戒音を吹鳴するように制御を行う。そして、人の動きを感知して作動した人感センサー３１が動作しなくなれば、警戒音の吹鳴をストップするように制御を行う。
【００３２】
なお、住宅１ａ〜１５ａの居住者は、アプローチ１ｂ〜２１ｂ付近で作業をしたり、立ち話等で留まったりする場合がある。そのような場合を想定して、複数の住宅地１〜２１のそれぞれには、侵入情報の生成を停止するための情報取消手段が設けられている。当該情報取消手段は、人感センサー３１によって感知された人が、住宅１ａ〜１５ａの居住者であることを情報伝達できればよい。
本実施の形態においては、制御部４２に接続された既存のジェスチャーセンサー（図示せず）を情報取消手段として用いるものとする。すなわち、予め設定された所定のジェスチャーをジェスチャーセンサーに向かって行うことで、制御部４２が人感センサー３１による感知を侵入者として認識することを防ぐことができる。
ただし、情報取消手段としてはジェスチャーセンサーに限られるものではなく、その他にも、例えば専用の電子キーを利用したり、居住者だけが知り得る人感センサー３１のスイッチを一時的にＯＦＦにしたりする方法を採用してもよい。
【００３３】
本実施の形態の防犯システムは、以上のようにして動作する。
すなわち、当該防犯システムは、公園２２に設置された時計台４０と、各住宅地１〜２１に設置された門柱３０、そして住宅１ａ〜１５ａおよびその居住者とを連携させて街区全体を見守るものとなっている。
なお、本実施の形態においては、住宅１ａ〜１５ａの居住者に対して警戒音で注意喚起を図っているが、これと共に、例えばネットワークを通じてメール等でアラートを行うようにしてもよい。
【００３４】
本実施の形態によれば、人感センサー３１はアプローチ１ｂ〜２１ｂ付近を感知エリアＡとするので、アプローチ１ｂ〜２１ｂ付近から住宅１ａ〜１５ａへの人の侵入を警戒することができる。また、スピーカー４１は、街区全体に警戒音を吹鳴するので、街区全体で人の侵入を警戒したり、近隣の住民が迅速に警察に通報したりすることができる。
そして、スピーカー４１によって街区全体に吹鳴される警戒音は、自然環境において発せられる音によって構成された自然音、またはメロディ音であることから、街区を訪れた人にとっては、それが警戒音であることを認識せずに済む。そのため、街区を訪れた人に対して不快感や不安感を与えることを防ぐことができる。また、街区の住民に対しては、過度に不安を煽ることなく、住宅侵入の注意喚起を行うことが可能となる。
さらに、スピーカー４１は、人感センサー３１による感知が所定時間継続した場合に生成される侵入情報に基づいて警戒音を吹鳴するので、アプローチ１ｂ〜２１ｂ付近で人が所定時間留まる場合に警戒音が吹鳴されることになる。これによって、単に住宅１ａ〜１５ａの居住者が出入りするだけでは警戒音が吹鳴されることがなくなり、住宅１ａ〜１５ａの居住者が出入りする度に警戒音が吹鳴されることを防げるので、何度も吹鳴される警戒音によって街区を訪れた人が不快に感じたり、不安を感じたりするような事態を回避できる。すなわち、街区を訪れた人に対して不快感や不安感を与えることなく、街区の住民に対して住宅侵入の注意喚起を行うことが可能となる。
【００３５】
また、複数の住宅地１〜２１のそれぞれには、侵入情報の生成を停止するための情報取消手段が設けられているので、住宅１ａ〜１５ａの居住者は侵入情報の生成を適宜停止して、アプローチ１ｂ〜２１ｂ付近に留まることができる。これによって、アプローチ１ｂ〜２１ｂ付近で作業をしたり、立ち話等で留まったりする場合に侵入情報が生成されることを防ぐことができるので、居住者の日常生活に支障が出ることを防ぐことができる。
【００３６】
また、街区内の公園２２にスピーカー４１が設置されているので、人の集まりやすい場所にスピーカー４１が設置されることになる。これによって、スピーカー４１によって警戒音が吹鳴されていることを、より多くの人に知らせることができる。
【００３７】
また、複数の住宅地１〜２１のそれぞれに設けられた照明装置３２は、人感センサー３１によって人を感知した際に点灯、または人の接近に伴って明るさを上げるように調節し、さらに人感センサー３１による感知が所定時間継続した場合に生成される侵入情報に基づいて点滅する動作を行う設定となっているので、照明装置３２は、人感センサー３１による感知に伴ってアクションを起こすことになる。これによって、照明装置３２に接近する人に対して威嚇行動を取ることができるとともに、警戒音を鳴らさずに、住宅１ａ〜１５ａの居住者や近隣の住民に対して注意喚起を促すことができる。
【００３８】
また、街路２７に沿って配置された全ての照明装置３２は連動して点灯する設定となっているので、街路２７を明るく照らすことができ、街路２７から住宅地１６〜２１への侵入を始めとする種々の防犯に寄与できる。
【符号の説明】
【００３９】
１〜２１  住宅地
１ａ〜１５ａ  住宅
１ｂ〜２１ｂ  アプローチ
２２  公園
２３〜２７  街路
３０  門柱
３１  人感センサー
３２  照明装置
４０  時計台
４１  スピーカー
Ａ  感知エリア
【図１】
2015176406.tif 000003
【図２】
2015176406.tif 000004
【図３】
2015176406.tif 000005
【図４】
2015176406.tif 000006